(57)【要約】【課題】  簡単な構造によってボールペンなどの筆記用具を収納し、名刺交換時などに容易に取り出して名刺にメモ書き可能な名刺入れを提供するものである。【解決手段】  名刺収納部２と、カバー部３を備えた名刺入れ１において、前記名刺収納部２とカバー部３によって形成される中間谷部４に筆記用具６を保持可能な掛止帯５，５や筆記用具を挿入可能な袋体を備えたり、中間谷部４の一の端部に切込みを形成して筆記用具を名刺入れ１内部に挿入可能に構成するものである。【選択図】  図１
2005246924.tif 000002
【特許請求の範囲】
【請求項１】
名刺収納部と、カバー部を備えた名刺入れにおいて、前記名刺収納部とカバー部によって形成される中間谷部に筆記用具を保持可能な掛止帯を備えることを特徴とする名刺入れ。
【請求項２】
前記掛止帯に代えて前記中間谷部に筆記用具を挿入可能な袋体を備えることを特徴とする請求項１記載の名刺入れ。
【請求項３】
前記掛止帯に代えて前記中間谷部の一の端部に切込みを形成し筆記用具を名刺入れ内部に挿入可能に構成することを特徴とする請求項１記載の名刺入れ。
【請求項４】
名刺収納部と、カバー部を備えた名刺入れにおいて、前記名刺収納部に収納可能に略名刺大に形成された板体と、この板体の一の端部に筆記用具を保持可能な掛止帯を具備してなる筆記用具ホルダーを有することを特徴とする名刺入れ。
【請求項５】
名刺入れの名刺収納部に収納可能に略名刺大に形成された板体と、この板体の一の端部に筆記用具を保持可能な掛止帯を具備してなることを特徴とする筆記用具ホルダー。
【発明の詳細な説明】
【技術分野】
【０００１】
本発明は、ボールペンなどの筆記用具を収納可能な名刺入れと筆記用具ホルダーに関する。
【背景技術】
【０００２】
日常生活においては、筆記用具はちょっとした情報や電話番号などを書き記したり、説明を具体的にするために文字や図形をメモにして相手方に示したり利用価値が非常に高いものである。それで、市販の手帳には小さな鉛筆やボールペンが付属してセットで販売されることも多い。
しかしながら、特にビジネスに関する現場においては初対面の相手と最初に行うのは名刺交換が普通であり、お互いに相手方の名刺を所持しながら本題の仕事について打ち合わせたり交渉したりすることが多い。その際に、相手方から提示された条件などを書き留める場合に、名刺の裏を利用することも多々あるが、その際に筆記用具の持ち合わせがない場合がある。もちろん、手帳を随時携帯しておけばそのような不手際は発生しないものの、名刺入れは名刺交換ではなくてはならないものであるが手帳は特に必須というわけでもないため忘れる場合も多い。
また、初対面の印象など相手方の特徴を名刺に書く場合も多く、最近では特に携帯電話の番号が名刺に記載されていない場合に追加で書き記す場合が多い。
それで、例えば特許文献１には、「筆記具付き名刺ホルダー」という名称で、イベント会場などで入場票として配布装着されるものが開示されている。
【０００３】
以下、図５を参照しながら、特許文献１に開示された技術について説明する。図５は従来技術に係る名刺ホルダーの概念図である。
図５に示すように、名刺ホルダーは、名刺３２と名刺を挿脱自在に収納し表面を透明部材で形成した名刺ホルダー部２９とを備え、さらにこの名刺ホルダー部２９の裏面に一方の圧着ホック３１を固定するとともにコンパクトな筆記具３３を収納して上辺を開口させた筆記具収納部３０を備えており、この筆記具収納部３０の開口辺の一面を延設させた延設片３０ａに一方の圧着ホック３１と合着する他方の圧着ホック３１を固定している。
このように名刺３２を収納した名刺ホルダー部２９とボールペンなどの筆記具３３が収納された筆記具収納部３０を圧着ホック３１を介して接続させたことによってイベント会場の入場票などとして使用でき、名前を相手方に示しながら何かメモを取る際には筆記具収納部３０に収納された筆記具３３を取り出して即座に使用することができ、会場に手帳や筆記具を持参しなくともメモを書き留めることができる。
【０００４】
また、特許文献２には、「携帯用カードケース」という名称で、一側辺に装入口が開設されテレホンカードなどの名刺大のカードが収容できるようにした長方形袋状のケース本体を形成し、このケース本体の片面にその長側辺に沿う細いペン収納部を残して磁性描画シートを貼着すると共に、磁性描画シートに磁界を及ぼして描画することのできる平棒状の磁気ペンをペン収納部に出し入れできるスリット孔をペン収納部の一端部寄りに開設するものが開示されている。
磁気ペンを磁性描画シートに当てて文字や図形を描くことができ、名刺入れの用途の他に嵩張ることなく手帳替わりにもなるという効果を奏するものである。
【０００５】
さらに、特許文献３には「ホルダーを備えた筆記具」という名称で、ボールペンなどの筆記具にホルダーを備えるようにしたもので、そのホルダーの背面からは筆記具のプリップを露出させることができるものである。
このようにホルダーを備えた筆記具においては、本やノートあるいは服などに挿んで携帯することができる。その他、名刺やチケットなどを挿むことができ便利であるという効果がある。
【０００６】
【特許文献１】特開平９−３１５０４８号公報
【特許文献２】実開平２−９２７２０号公報
【特許文献３】登録実用新案第３０７０２６７号公報
【発明の開示】
【発明が解決しようとする課題】
【０００７】
しかしながら、上述の従来の技術においては、特許文献１に開示された発明においては、イベント会場やコンベンションセンターなどにおいては胸ポケットなどにさり気なく差し込んで使用すると違和感もなく便利であるものの、通常のビジネス現場では目立ち過ぎてしまうこともある。さらに、名刺ホルダー部をポケットから引き出してから筆記具を抜き出す必要があるため、動作が大げさになりスマートではない。
【０００８】
また、特許文献２に開示された発明においては、磁気ペンを備えて磁性描画シートに文字などを記載できるものの、名刺自体にメモ書きできるものではなく相手方にメモ付きの名刺を手渡したり、自分でそのメモを保存することができないという課題があった。名刺交換した後にちょっとしたメモをその名刺に書き留めたり、取得した名刺に相手方の性格や風貌などを簡単に記載しておき、次回の対面時に失礼のないように心がけることも多いがそのような用途には不向きという課題があった。
【０００９】
特許文献３に開示された発明においては、筆記具そのものにホルダー機能を持たせるものであり、名刺も挿んでおくことも可能と考えられるものの、名刺は挿まれても露出しており傷む可能性が大きく、特に長期間に亘る保持の場合には名刺に関しては実用的ではないという課題があった。
【００１０】
本発明はかかる従来の事情に対処してなされたものであり、簡単な構造によってボールペンなどの筆記用具を収納し、名刺交換時などに容易に取り出して名刺にメモ書き可能な名刺入れを提供することを目的とする。
【課題を解決するための手段】
【００１１】
上記目的を達成するため、請求項１記載の発明である名刺入れは、  名刺収納部と、カバー部を備えた名刺入れにおいて、名刺収納部とカバー部によって形成される中間谷部に筆記用具を保持可能な掛止帯を備えるものである。
【００１２】
また、請求項２記載の発明である名刺入れは、請求項１に記載の名刺入れにおいて、筆記用具掛止帯に代えて中間谷部に筆記用具を挿入可能な袋体を備えるものである。
【００１３】
請求項３記載の発明である名刺入れは、掛止帯に代えて中間谷部の一の端部に切込みを形成し筆記用具を名刺入れ内部に挿入可能に構成するものである。
上記請求項１乃至３に記載の名刺入れにおいては、二つ折りの通常の形態に係る名刺入れの名刺収納部とカバー部の中間に形成される谷部のスペースに容易にボールペンなどの筆記用具を収容するという作用を有する。
【００１４】
また、請求項４記載の発明である名刺入れは、名刺収納部と、カバー部を備えた名刺入れにおいて、名刺収納部に収納可能に略名刺大に形成された板体と、この板体の一の端部に筆記用具を保持可能な掛止帯を具備してなる筆記用具ホルダーを有するものである。
上記構成の名刺入れにおいては、板体に設けられた掛止帯にボールペンを保持し、それを名刺収納部にそのまま収容するという作用を有する。
【００１５】
最後に請求項５に係る筆記用具ホルダーは、名刺入れの名刺収納部に収納可能に略名刺大に形成された板体と、この板体の一の端部に筆記用具を保持可能な掛止帯を具備してなるものである。
上記構成の筆記用具ホルダーは、請求項４に記載の名刺入れの一部を構成するものであるが、既存の名刺入れに対してこの筆記用具ホルダーを使用することで、容易にボールペンなどを保持することできるという作用を有する。
【発明の効果】
【００１６】
以上説明したように、本発明の請求項１乃至請求項３に記載の名刺入れにおいては、簡単な構造で名刺にメモ書き可能な筆記用具を名刺入れの名刺収納部とカバー部の中間に形成される谷部スペースに筆記用具を収容可能にするため、従来の名刺入れと比較しても筆記用具を収容することによって嵩張ることもない。しかも、筆記用具を収容する部分は小さなボールペンや短い鉛筆などどのような筆記用具にも対応することが可能であり、名刺入れを使用するタイミングと同時にスマートに筆記用具を取り出すこともできる。
【００１７】
また、本発明の請求項４に記載の名刺入れにおいては、板体に設けられた掛止帯に筆記用具を保持することで、請求項１乃至３に記載の発明と同様の効果を奏することができる。また本発明においては、別途手帳などを携帯する場合には筆記用具ホルダーを外すことで通常の名刺入れとして、筆記用具を二重に所持することを避けることができる。
【００１８】
さらに、本発明の請求項５に記載の筆記用具ホルダーにおいては、新たに筆記用具を収納可能な名刺入れを購入することなく、既存の名刺入れに使用することができ、それによって請求項４に記載の発明と同様の効果を奏することが可能であり経済的である。
【発明を実施するための最良の形態】
【００１９】
本願発明に係る名刺入れ及び筆記用具ホルダーに関し以下のとおり、実施例を挙げながらその構成、作用及び効果について説明する。
【実施例１】
【００２０】
以下に、本発明の最良の実施の形態に係る名刺入れの実施例１を図１に基づき説明する。
図１は本発明の実施例１に係る名刺入れの外形図である。
図１において、名刺入れ１は二つ折りのタイプであり、図中手前側に名刺収納部２を備え、カバー部３との間に中間谷部４を形成している。この中間谷部４に２つの掛止帯５を設けることによって、筆記用具６を保持可能とするものである。
２つの掛止帯５のうち、一方に筆記用具６のクリップ７を掛止することによれば確実に中間谷部４へ固定保持することができる。
この中間谷部４は通常の名刺入れにおいても形成される部分であり、その部分に筆記用具６を収納してもそれほど嵩張ることがなく、筆記用具６を収納した場合の不具合はない。
名刺交換などで名刺入れ１を開けて名刺収納部２から名刺を差し出しながら、話の中でメモが必要となった際には筆記用具６を掛止帯５から抜き出して素早く交換した名刺に書き込むことができる。
また、名刺交換の場合でなくとも、とっさにメモ書きするような場合は多くあり、その際にメモ帳がなくとも名刺入れから自分の名刺を取り出してメモすることも可能である。さらに、外遊先においてサインの際にペンの持ち合わせがない場合に名刺入れに収納した筆記具６を取り出すことができ便利である。
そのほか、特に外国人と対面する際には外国人の名刺に記載された母国語での名前の読み方がよくわからず、名前を聞き直して覚えておく必要がある場合も多い。そのような場合には、その名刺に直接日本語読みを併記しておくと次回の対面時などに便利である。
【００２１】
名刺を使用する局面はビジネス上であることが普通であり、重要な取引先などの場合には神経を使うが、そのような際に重要な情報に関して名刺の表裏面に即座にメモ書きができるというのは非常に便利である。名刺入れを忘れない限りメモを取ることができるのである。名刺に書き込むことで、対面した相手方が明確となり、それを端緒に面談時の状況を思い起こすことも可能である。
筆記用具６としては、市販の短く細いタイプのボールペンや鉛筆、さらに万年筆など特に限定することなく掛止可能であればどのようなものであってもよい。
なお、本実施例においては掛止帯５を２箇所設けたが、１箇所で筆記用具６を十分に保持できるのであれば、１箇所でもよい。例えば、中央部に１箇所の掛止帯を設けるような場合である。ただ、クリップ７を掛止帯５に掛けるようにすることが保持性能の観点からは望ましい。
【実施例２】
【００２２】
次に、本発明の最良の実施の形態に係る名刺入れの実施例２を図２を参照しながら説明する。
図２は本発明の実施例２に係る名刺入れの外形図である。
図２において、名刺入れ８は図１と同様に名刺収納部９とカバー部１０を有する二つ折りのタイプであり、中間谷部１１には図１において設けられていた２つの掛止帯に代えて袋体１２を備えて筆記用具１３を収納するものである。
このような袋体１２を設けることによれば、図１に示されるような掛止帯に比較して筆記用具１３の挿脱は容易であるものの、保持性能の観点からは劣ると考えられる。もちろん、袋体１２に加えて筆記用具１３のクリップなどを掛止可能なように掛止帯を別個に設けてもよい。
本実施例においても、名刺収納部９とカバー部１０を備える二つ折りの名刺入れの中間谷部１１に嵩張ることなく筆記用具１３を収納することができ、名刺交換などの際に必要があれば即座に筆記用具１３を取り出して名刺にメモ書きすることができる。
【実施例３】
【００２３】
次に、本発明の最良の実施の形態に係る名刺入れの実施例３を図３を参照しながら説明する。
図３は本発明の実施例３に係る名刺入れの外形図である。
図３において、名刺入れ１４は図１と同様に名刺収納部１５とカバー部１６を有する二つ折りのタイプであり、中間谷部１７には実施例１で設けられていた掛止帯や実施例２で設けられていた袋体に代えて切込み１８を設けてその切込み１８から筆記用具１９を挿入するものである。名刺入れ１４は表側の皮と裏側の皮の２枚を張り合わせて製作されていることが必要であるが、通常の名刺入れはそのような構造を備えており、その表裏２枚の皮の間に筆記用具１９を挿入して保持するのである。また、筆記用具１９のクリップ２０を中間谷部１７に掛止することで引き抜けの防止を図っている。なお、本実施例においては、名刺入れ１４においては皮製を想定して説明したが、もちろん、皮製に限定するものではなく合成樹脂などを用いた名刺入れ１４であってもよく、素材については特に限定しない。
このように構成された本実施例においては、筆記用具１９がほとんど名刺入れ１４内部に隠れるため、見た目もスマートであると同時に、筆記用具１９の保持性能の観点からは実施例１や実施例２に比較して最も良好であると考えられる。
但し、クリップ２０を備えていない鉛筆などの筆記用具の場合には名刺入れ１４の内部に完全に入ってしまうことも考えられるため筆記用具にクリップのような止め部材を備える必要があると考えられる。
袋体１２を備えて筆記用具１３を収納するものである。
【実施例４】
【００２４】
図４（ａ）は本発明の実施例４に係る名刺入れの筆記用具ホルダーの外形図であり、図４（ｂ）は実施例４に係る名刺入れの使用状況を説明するための概念図である。
図４（ａ）において、筆記用具ホルダー２１は名刺入れの名刺収納部に収納可能な略名刺大の四角形の板体２２の上部に掛止帯２３を備える構成となっている。板体２２の材質は特に限定しないが、可能な限り薄く名刺収納部で嵩張らず、可能な限り破損することがない強度を備えることが望ましい。プラスチック製や金属製あるいは皮製などが考えられる。
また、板体２２の形状として本実施例では、四角形としているが特に四角形に限定するものではなく、例えば円形、楕円形、四角形以外の多角形であってもよい。
掛止帯２３は、筆記用具を固定、保持するためのものであり、図中では端部に１箇所のみに設けられているが、２箇所設けてもよいし、中央部に設けてもよい。この掛止帯２３は皮製など少し柔らかい材質が望ましいが、金属製やプラスチック製などでも構わない。
【００２５】
図４（ｂ）は、筆記用具ホルダー２１を名刺収納部２５とカバー部２６を備える名刺入れ２４に収納する際の使用状況を示している。掛止帯２３に筆記用具２７を挿入し、クリップ２８でより強く保持する状態で名刺収納部２５に挿入する。
実施例１乃至３においては、名刺入れ本体の中間谷部に工夫を施して筆記用具を固定、保持する構造としたものの、本実施例では、板体２２に掛止帯２３を設けてそれに筆記用具２７を保持することで、名刺入れ２４に筆記用具２７を保持可能な構造とすることと通常の名刺入れとして使用することの選択を可能とするものである。
例えば手帳などを携帯する場合に名刺入れにもボールペンなどを収納する必要はないので、掛止帯２３を備えた板体２２を取り外して名刺のみを収納して携帯すればよい。
また、筆記用具ホルダー２１は、それ自体を既存の名刺入れに適用させることが可能である。実施例１乃至３に示されるように本体側の構造によって筆記用具を保持可能とする場合には、既存の名刺入れの活用ができないものの、本実施例における筆記用具ホルダー２１では、掛止帯２３を備えた板体２２に筆記用具２７を保持させることで、既存の名刺入れにそのまま挿入したり、不要な際には取り外したりすることができ、経済的である。
しかも筆記用具ホルダー２１を名刺入れに挿入した状態における作用、効果は実施例１乃至３と全く同様である。
【産業上の利用可能性】
【００２６】
簡単な構造で容易に筆記用具を携帯可能であると同時に、名刺交換時などに即座に筆記用具を取り出し可能な名刺入れとして利用が可能である。
【図面の簡単な説明】
【００２７】
【図１】本発明の実施例１に係る名刺入れの外形図である。
【図２】本発明の実施例２に係る名刺入れの外形図である。
【図３】本発明の実施例３に係る名刺入れの外形図である。
【図４】（ａ）は本発明の実施例４に係るホルダーの外形図であり、（ｂ）は本発明の実施例４に係る名刺入れの使用方法を示す外形図である。
【図５】名刺ホルダーの従来例を示す外形図である。
【符号の説明】
【００２８】
１…名刺入れ  ２…名刺収納部  ３…カバー部  ４…中間谷部  ５…掛止帯  ６…筆記用具  ７…クリップ  ８…名刺入れ  ９…名刺収納部  １０…カバー部  １１…中間谷部  １２…袋体  １３…筆記用具  １４…名刺入れ  １５…名刺収納部  １６…カバー部  １７…中間谷部  １８…切込み  １９…筆記用具    ２０…クリップ  ２１…筆記用具ホルダー  ２２…板体  ２３…掛止帯  ２４…名刺入れ  ２５…名刺収納部  ２６…カバー部  ２７…筆記用具  ２８…クリップ  ２９…名刺ホルダー部  ３０…筆記具収納部  ３０ａ…延設片  ３１…圧着ホック  ３２…名刺  ３３…筆記具
【図１】
2005246924.tif 000003
【図２】
2005246924.tif 000004
【図３】
2005246924.tif 000005
【図４】
2005246924.tif 000006
【図５】
2005246924.tif 000007